(57)【要約】【課題】  ユーザがジョブ実行中に、ＵＳＢメモリやメモリカード等の外部メモリを誤って抜いてしまっても、再挿入することでそのジョブを再開することを可能にするなど、ユーザの利便性向上を図る。【解決手段】  ジョブ実行中に外部メモリが引き抜かれた場合、再挿入を促し、一定時間が経過しても、再挿入されなければ、そのジョブをエラー終了とする。一定時間内に再挿入されたときは、ジョブ実行中のファイルが外部メモリに存在すればジョブを再開する。また、機能毎に、ジョブの継続、非継続を設け、例えば、ＦＡＸ送信時は、即エラー終了とし、プリントやネットワークによる送信時のときは、ジョブ再開を可能にする。 【選択図】  図１
2008307705.tif 000002
【特許請求の範囲】
【請求項１】
着脱可能な外部メモリの挿抜を検知する外部メモリ挿抜検知手段と、
前記外部メモリから予め格納されているファイルのデータ、及び、その情報を取得するためのファイル取得手段と、
前記ファイル取得手段より、得られた前記ファイル情報を表示すると共に、印刷するファイルを選択するためのファイル選択手段と、
前記ファイル選択手段により選択されたファイルに対し、印刷モードの指定をするためのファイル印刷指定手段と、
前記選択されたファイルに対して、指定された印刷モードで印刷の指示を行うファイル印刷指示手段と、
前記ファイル印刷指示手段によって、指示されたファイルに対して前記ファイル取得手段によりファイルのデータ取得し、印刷を行うファイル印刷手段と、
前記選択されたファイルが外部メモリに格納されているかを検索するためのファイル検索手段と、
前記ファイル印刷手段によって、指定されたファイルを印刷中に、前記外部メモリ挿抜検知手段よって、外部メモリが抜かれた場合には、その印刷を停止し、外部メモリの再挿入を報知すると共に、一定時間経過した場合は、印刷を終了すると共に、一定時間内に外部メモリが再挿入されたときは、前記ファイル検索手段により、印刷実行中のファイルと同じファイルが存在すれば、印刷を再開し、存在しなければ印刷を終了するファイル印刷制御手段と、
を備えることを特徴とする画像形成装置。
【請求項２】
前記ファイル印刷手段おいて、ファイルのデータを1ページごとに取得し、印刷を行うことを特徴とする請求項１に記載の画像形成装置。
【請求項３】
着脱可能な外部メモリの挿抜を検知する外部メモリ挿抜検知手段と、
前記外部メモリから予め格納されているファイルのデータ、及び、その情報を取得するためのファイル取得手段と、
前記ファイル取得手段より、得られた前記ファイル情報を表示すると共に、送信するファイルを選択するためのファイル選択手段と、
前記ファイル選択手段により選択されたファイルに対し、送信先の宛先指定をするためのファイル送信宛先指定手段と、
前記選択されたファイルに対して、指定された宛先で送信の指示を行うファイル送信指示手段と、
前記ファイル送信指示手段によって、指示されたファイルに対して、前記ファイル取得手段によりファイルのデータ取得し、送信を行うファイル送信手段と、
前記選択されたファイルが外部メモリに格納されているかを検索するためのファイル検索手段と、
前記ファイル送信手段によって、指定されたファイルを送信中に、前記外部メモリ挿抜検知手段よって、外部メモリが抜かれた場合、FAX送信のときは、送信を終了すると共に、ネットワークによる送信のときは、その送信を停止し、外部メモリの再挿入を報知すると共に、一定時間経過した場合は、送信を終了すると共に、一定時間内に外部メモリが再挿入されたときは、前記ファイル検索手段により、送信実行中のファイルと同じファイルが存在すれば、ネットワークの送信を再開し、存在しなければ送信を終了するファイル送信制御手段と、
を備えることを特徴とする画像形成装置。
【請求項４】
前記ファイル送信手段において、ファイルのデータを1ページごとに取得し、送信を行うことを特徴とする請求項３に記載の画像形成装置。
【請求項５】
前記ファイル検索手段において、ファイル名とファイルページ数から外部メモリに格納されているから検索を行う
ことを特徴とする請求項１〜請求項４のいずれかに記載の画像形成装置。
【発明の詳細な説明】
【技術分野】
【０００１】
本発明は、画像出力装置に関するものであり、特に外部メモリからのファイル印刷、及び、ファイル送信に関わる発明である。
【背景技術】
【０００２】
近年、USBメモリやメモリカード等の着脱可能な外部メモリとの接続を可能とし、そのメモリに予め格納されたファイルを指定して印刷する機能を備えた画像形成装置が提供されている。
【０００３】
特開２０００−１１８０９０号公報によれば、前回の自動プリントが中断されたメモリカードが検出されると、表示部にその旨を表示すると共に操作部への確認操作により、制御部は、不揮発性メモリに記憶したプリント履歴情報に従って、前回中止された自動プリントの途中から自動プリントを再開するものが提案されている。
【０００４】
上記の例として、下記特許文献１をあげることが出来る。
【特許文献１】特開２０００−１１８０９０号公報
【発明の開示】
【発明が解決しようとする課題】
【０００５】
従来技術では、印刷実行中に、誤ってメモリカードが抜かれてしまった場合には、そのJOBは中止されていた。そして、メモリカードが再挿入されると、確認操作が必要になっていた。
【０００６】
最近では、低コスト化、省メモリ化に伴って、印刷動作時、外部メモリに予め格納されているファイルの原稿読み出しをページ単位で行う事が求められている一方で、使用者によっては、印刷動作が始まると、ファイルの原稿を全て読み出したものと判断し、USBメモリやメモリカードを引抜かれてしまう恐れがある。また、外部メモリに予め格納されているファイルを読み出し、EメールやFTP送信などのネットワーク送信やFAX送信が求められており、この外部メモリの引抜きに対する適切なJOB動作を提供する必要がある。
【０００７】
本発明では、ユーザがJOB実行中に、誤って、USBメモリやメモリカード等の外部メモリを抜いてしまっても、再挿入することでJOBを再開することを可能にすると共に、機能毎に、JOBの継続、非継続を行うことによって、ユーザの利便性向上を目的とするものである。
【０００８】
指定した自動プリント動作を適切に実行し、プリントを確実に得るプリント制御方法およびプリンタ装置を提供する。
【課題を解決するための手段】
【０００９】
本発明に係る第１の発明は、
着脱可能な外部メモリの挿抜を検知する外部メモリ挿抜検知手段と、
前記外部メモリから予め格納されているファイルのデータ、及び、その情報を取得するためのファイル取得手段と、
前記ファイル取得手段より、得られた前記ファイル情報を表示すると共に、印刷するファイルを選択するためのファイル選択手段と、
前記ファイル選択手段により選択されたファイルに対し、印刷モードの指定をするためのファイル印刷指定手段と、
前記選択されたファイルに対して、指定された印刷モードで印刷の指示を行うファイル印刷指示手段と、
前記ファイル印刷指示手段によって、指示されたファイルに対して前記ファイル取得手段によりファイルのデータ取得し、印刷を行うファイル印刷手段と、
前記選択されたファイルが外部メモリに格納されているかを検索するためのファイル検索手段と、
前記ファイル印刷手段によって、指定されたファイルを印刷中に、前記外部メモリ挿抜検知手段よって、外部メモリが抜かれた場合には、その印刷を停止し、外部メモリの再挿入を報知すると共に、一定時間経過した場合は、印刷を終了する。一定時間内に外部メモリが再挿入されたときは、前記ファイル検索手段により、印刷実行中のファイルと同じファイルが存在すれば、印刷を再開し、存在しなければ印刷を終了するファイル印刷制御手段と、
を備える。
【００１０】
本発明に係る第２の発明は、
前記ファイル印刷手段において、ファイルのデータを1ページごとに取得し、印刷を行う。
【００１１】
本発明に係る第３の発明は、
着脱可能な外部メモリの挿抜を検知する外部メモリ挿抜検知手段と、
前記外部メモリから予め格納されているファイルのデータ、及び、その情報を取得するためのファイル取得手段と、
前記ファイル取得手段より、得られた前記ファイル情報を表示すると共に、送信するファイルを選択するためのファイル選択手段と、
前記ファイル選択手段により選択されたファイルに対し、送信先の宛先指定をするためのファイル送信宛先指定手段と、
前記選択されたファイルに対して、指定された宛先で送信の指示を行うファイル送信指示手段と、
前記ファイル送信指示手段によって、指示されたファイルに対して、前記ファイル取得手段によりファイルのデータ取得し、送信を行うファイル送信手段と、
前記選択されたファイルが外部メモリに格納されているかを検索するためのファイル検索手段と、
前記ファイル送信手段によって、指定されたファイルを送信中に、前記外部メモリ挿抜検知手段よって、外部メモリが抜かれた場合、FAX送信のときは、送信を終了する。ネットワークによる送信のときは、その送信を停止し、外部メモリの再挿入を報知すると共に、一定時間経過した場合は、送信を終了する。一定時間内に外部メモリが再挿入されたときは、前記ファイル検索手段により、送信実行中のファイルと同じファイルが存在すれば、ネットワークの送信を再開し、存在しなければ送信を終了するファイル送信制御手段と、
を備える。
【００１２】
本発明に係る第４の発明は、
前記ファイル送信手段において、ファイルのデータを1ページごとに取得し、送信を行う。
【００１３】
本発明に係る第５の発明は、
前記ファイル検索手段において、ファイル名とファイルページ数から外部メモリに格納されているから検索を行う。
【発明の効果】
【００１４】
第１の発明により、外部メモリに格納されたファイルに対して、予め指定されたファイルを印刷中に、外部メモリが抜かれた場合には、その印刷を停止し、外部メモリの再挿入を報知すると共に、一定時間経過した場合は、印刷を終了する。一定時間内に外部メモリが再挿入されたときは、印刷実行中のファイルと同じファイルが存在すれば、印刷を再開し、存在しなければ印刷を終了することが可能になる。
【００１５】
第２の発明により、外部メモリに格納されたファイルのデータを1ページごとに取得し、印刷を行うことが可能になる。
【００１６】
第３の発明により、外部メモリに格納されたファイルに対して、予め指定されたファイルを送信中に、外部メモリが抜かれた場合、FAX送信のときは、送信を終了する。ネットワークによる送信のときは、その送信を停止し、外部メモリの再挿入を報知すると共に、一定時間経過した場合は、送信を終了する。一定時間内に外部メモリが再挿入されたときは、送信実行中のファイルと同じファイルが存在すれば、ネットワークの送信を再開し、存在しなければ送信を終了することが可能になる。
【００１７】
第４の発明により、外部メモリに格納されたファイルのデータを1ページごとに取得し、送信を行うことが可能になる。
【００１８】
第５の発明により、ファイル名とファイルページ数から外部メモリに格納されているから検索を行うことが可能になる。
【発明を実施するための最良の形態】
【００１９】
次に、本発明の詳細を実施例の記述に従って説明する。
【実施例１】
【００２０】
以下、本発明にかかる一実施形態について、図面を参照して詳細に説明する。
【００２１】
図１は、本発明の実施形態に係わる画像形成装置システムの全体の構成を説明するブロック図である。
【００２２】
本画像形成装置1000は、画像入力デバイスであるスキャナ部1003、画像出力デバイスであるプリンタ部1004、Controller Unit 1001、ユーザーインターフェースである操作部1002、そして、着脱可能な外部メモリから構成される。スキャナ部1003、プリンタ部1004、操作部1002、外部メモリ1005は、それぞれController Unit1001に接続され、Controller Unit 1001は、LAN 1400などのネットワーク伝送手段、公衆回線1500に接続されている。公衆回線1500からは、カラー画像送信を含むG3、G4ファックスによる送信が可能である。
【００２３】
また、LAN1400には、パーソナルコンピュータ（以下PC）1300が接続されていて、FTP,SMBプロトコルを使用したファイルの送受信、電子メールの送受信ができる。また、他の画像形成装置1100、1200が接続されえている。画像形成装置1100、1200は、それぞれスキャナ部1103、1203、プリンタ部1104、1204、操作部1102、1202を持ち、それらがController Unit 1100、1200に接続されている。
【００２４】
図２は、本発明の実施形態に係わる画像形成装置の構成を説明するブロック図である。
【００２５】
Controller Unit 1001は、画像入力デバイスであるカラースキャナ1003や画像出力デバイスであるカラープリンタ1004と接続する。また、LAN 1400や公衆回線(WAN)1500接続することで、画像情報やデバイス情報の入出力を行う為のコントローラである。CPU2001はシステム全体を制御するコントローラである。RAM2003は、CPU2001が動作するためのシステムワークメモリであり、画像データを記憶するための画像メモリでもある。ROM 2002はブートROMであり、システムのブートプログラム、及び、ソフトウェアが格納されている。外部メモリI/F 2004は、着脱可能な外部メモリとのインターフェース部である。操作部I/F 2005は、操作部(UI) 1002とのインターフェース部で、操作部1002に表示する画像データを操作部1002に対して出力する。また、操作部1002から本システム使用者が入力した情報を、CPU2001に伝える役割をする。Network 2007は、LAN1400に接続し、情報の入出力を行う。RTC(Real Time Clock) 2006は、時刻を得るための時計回路である。Modem 2050は、公衆回線1500に接続し、画像情報の入出力を行う。2値画像回転 2052、および、2値画像圧縮・伸張 2053はModem 2050で2値画像を送信する前に画像の方向を変換したり、所定の解像度、あるいは相手能力に合わせた解像度に変換するためのものである。圧縮、伸張はJBIG、MMR、MR、MH をサポートしている。DMAC2009はDMAコントローラであり、RAM2003に格納されている画像をCPU2001を介することなく読み取る。そして、ImageBusI/F2011に対して画像転送する、もしくは、画像バスからの画像をCPU2001を介することなくRAM2003に書き込む。
【００２６】
以上のデバイスがシステムバス2008に接続される。
【００２７】
ImageBus 2011は、画像バス2010を介して、高速な画像の入出力を制御するためのインタフェースである。圧縮器2012は、画像バス2010に画像を送出する前に３２画素x３２画素の単位でJPEG圧縮するための圧縮器である。伸張器2013は、画像バス2010を介して送られた画像を伸張するための伸張器である。
【００２８】
ラスターイメージプロセッサ(RIP)2018は、ホストコンピュータからのPDLコードをNetwork2007を介して受け取り、システムバス2008を通して、CPU2001がRAM2002に格納する。CPU2001は、PDLを中間コードに変換し、再度システムバス2008を介してRIP2018に入力し、ビットマップイメージ（多値）に展開する。
【００２９】
スキャナ画像処理2014は、スキャナ2015からのカラー画像、白黒画像に対して、適切な各種画像処理（たとえば補正、加工、編集）を行い出力する（多値）。同様にプリンタ画像処理2016は、プリンタ2017に対して、適切な各種画像処理（たとえば補正、加工、編集）を行うプリント時は、伸張2013で2値多値変換を行うので、2値、および多値出力が可能である。画像変換部2030はRAM上にある画像を画像変換し、再度、RAM2030に下記戻すときに使われる各種画像変換機能を有する。回転器2019は、３２画素ｘ３２画素単位の画像を指定された角度で回転でき、2値、および多値の入出力に対応している。変倍器2020は、画像の解像度を変換（たとえば600dpiから200dpi）したり、変倍したりする機能（たとえば25%から400%まで）を有する。変倍する前には32x32画素の画像を32ライン単位の画像に並び替える。色空間変換2021は、多値入力された画像をマトリクス演算、およびLUTにより、例えば、メモリ上にあるYUV画像をLab画像に変換し、メモリ上に格納する。また、この色空間変換は3x8のマトリクス演算および、1次元LUTをもち、公知の下地とばしや裏写り防止を行うことができる。変換された画像は多値で出力される。2値多値変換2022は、1bit2値画像を多値8bit、256階調にする。逆に多値2値変換2022は、例えば、メモリ上にある8bit、256階調の画像を誤差拡散処理などの手法により1bit、2階調に変換し、メモリ上に格納する。合成はメモリ上の2枚の多値画像画像を合成し、1枚の多値画像にする機能を有する。例えば、メモリ上にある会社ロゴの画像と原稿画像を合成することで、原稿画像に簡単に会社ロゴをつけることができる。間引き2024は、多値画像の画素を間引くことで、解像度変換を行うユニットであり1/2,1/4,1/8の多値画像を出力可能である。変倍2020と合わせて使うことで、より広範囲な拡大、縮小を行うことができる。移動2025は入力された2値画像、多値画像に余白部分をつけたり、余白部分を削除したりして出力することができる。回転2019、変倍2020、色空間変換2021、2値多値2022、合成2023、間引き2024、移動2025、多値2値2026は、それぞれ連結して動作することが可能で、例えば、メモリ上の多値画像を画像回転、解像度変換する場合は、メモリを介さずに両処理を連結して行うことができる。
【００３０】
図３に本発明の実施形態に係わる画像の形式を示す。
【００３１】
圧縮2012では、ラスター形式の画像を、図３のごとく32x32画素単位のパケットとして並び替え、パケット単位でJPEG圧縮を行う。同時にパケットにパケットの位置を示すID、色空間、QテーブルID、データ長などの情報を付加してヘッダーとする。文字、写真を示す2値のデータ（像域フラグ）も同様に圧縮して、JPEGの後ろに付随させる。図４にパケットデータを示す。伸張2013では、このヘッダー情報をもとにJPEGを展開し、ラスター画像に並び替える。このようなパケット画像にすることで、画像回転のときにはパケット内部の画像のみを回転し、パケットIDの位置を変更することで、部分的に伸張圧縮で回転することができるため非常に効率がよい。ImageBus2010を流れる画像はすべてパケット画像になる。
【００３２】
FAX送信や2値画像回転2052、2値画像圧縮・伸張2053などでは、ラスタ画像が必要な場合は、パケット画像からラスタ画像への変換をソフトウェアによって行う。
【００３３】
図５に本発明の実施形態に係わるスキャナ画像処理2014の詳細説明を示す。
【００３４】
スキャナ1003から入力されたRGB各8bitの輝度信号は画像領域イネーブル生成部2501により、使用者からの指示に基づいて原稿画像領域の必要部分の区間を後段の画像処理に流すよう設定される。ここには入力画像を32x32画素単位になるように余分に画像を読み取るよう設定しておく。その後、マスキング2502によりCCDのフィルタ色に依存しない標準的なRGB色信号に変換される。フィルタ2503では、たとえば9x9のマトリクスを使用し、画像をぼかしたり、メリハリをつける処理が行われる。ヒストグラム2504は、入力画像中の画像信号データのサンプリングをする処理部であり、入力画像の下地レベル判定に使用される。このモジュールでは主走査方向、副走査方向にそれぞれ指定した開始点から終了点で囲まれた矩形領域内のRGBデータを、主走査方向、副走査方向に一定のピッチでサンプリングし、ヒストグラムを作成する。このヒストグラムは、下地とばしや、裏写り防止が指定されたとき、読み出され、ヒストグラムから原稿の下地を推測し、下地とばしレベルとして、画像とともにメモリに保存、管理され、印刷や送信時の画像処理に使用される。ガンマ2505では、画像全体の濃度を濃くあるいは薄くするように処理が行われる。たとえば入力画像の色空間を任意の色空間に変換したり、入力系の色味に関する補正処理を行う部分である。2506の画像シフトでは主走査、副走査とも32x32画素以内のシフト機能を有しており、入力された画像をどちら方向へシフトするのか、および、シフトすることによりパディングの位置が変わるため、その色を指定できるようになっている。
【００３５】
原稿がカラーか白黒かを判断するために変倍前の画像信号を色空間変換2506によってLabに変換する。このうちa,bは色信号成分を表しており、比較器2507内の所定のレベル以上であれば有彩色、そうでなければ無彩色として1bitの判定信号を比較器2507から出力する。カウンタ2508は、比較器2007からの出力を計測する。文字／写真判定2510は、画像から文字エッジを抽出し、画像を文字と写真に分離する機能である。出力として、文字写真判定信号が得られる。この信号（像域信号）も画像とともにメモリやＨＤに格納され、印刷時に使用される。2511は2値化器であり、RGB各8bitの信号からND信号と呼ばれる信号を生成（ND=(R+2G+B)/4）し、固定もしくは変動スライスレベルの閾値で2値化する。2512はカウンタであり、2値化された信号の画素をカウントする。2513であらかじめ設定されている所定の値とカウント値を比較することによって、白紙判定結果を保持することができる。
【００３６】
図６に本発明の実施形態に係わるプリンタ画像処理2016の詳細説明を示す。
【００３７】
2601は、画像データの地色を飛ばし、不要な下地のカブリ除去を行う。例えば、３×８のマトリクス演算や、１次元ＬＵＴにより下地飛ばしを行う。2602は、カラー画像データをモノクロデータに変換し、単色としてプリントする際に、カラー画像データ、例えばＲＧＢデータを、Ｇｒａｙ単色に変換するモノクロ生成部である。例えば、ＲＧＢに任意の定数を掛け合わせ、Ｇｒａｙ信号とする１×３のマトリクス演算から構成される。2603は、画像データを出力するプリンター部の特性に合わせて色補正を行う出力色補正部である。例えば、４×８のマトリクス演算や、ダイレクトマッピングによる処理から構成される。2604は、画像データの空間周波数を任意に補正するフィルタ処理部であり、例えば９×９のマトリクス演算を行う処理から構成される。2605は、出力するプリンタ部の特性に合わせて、ガンマ補正を行う処理であり、通常1次元のＬＵＴから構成される。2606は、出力するプリンタ部の階調数に合わせて任意の中間調処理を行う処理部であり、２値化や３２値化など、任意のスクリーン処理や、誤差拡散処理を行う中間調処理部である。各処理は図示しない文字／写真判定信号によって切り替えることも可能である。ドラム間遅延メモリ2607は、CMYKの各色のドラムを持つカラープリンタにおいて、CMYKの印字タイミングをドラム間分ずらすことで、CMYK画像を重ね合わせるためのメモリである。CMYK各色４ドラムを持つカラープリンタにおいて画像の位置を合わせるために遅延させることができる。
【００３８】
図７に本発明の実施形態に係わる画像入出力デバイスを示す。
【００３９】
画像入力デバイスであるスキャナ部1003は、原稿となる紙上の画像を照明し、CCDラインセンサ(図示せず)を走査することで、ラスターイメージデータとして電気信号に変換する。原稿用紙は原稿フィーダ2701のトレイ2702にセットし、装置使用者が操作部2006から読み取り起動指示することにより、コントローラCPU2001がスキャナ1003に指示を与え、フィーダ2701のトレイ2702から原稿用紙を1枚ずつフィードし原稿画像の読み取り動作を行う。
【００４０】
画像出力デバイスであるプリンタ部1004は、ラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラCPU2001からの指示によって開始する。プリンタ部1004には、異なる用紙サイズまたは異なる用紙向きを選択できるように複数の給紙段を持ち、それに対応した用紙カセット2703、2704、2705がある。また、排紙トレイ2706は印字し終わった用紙を受ける排紙トレイである。
【００４１】
図８に本発明の実施形態に係わる操作部1002の構成を示す。LCD表示部2801は、LCD上にタッチパネルシート2802が貼られており、システムの操作画面、および、ソフトキーを表示するとともに、表示してあるキーが押されるとその位置情報をコントローラCPU2001に伝える。スタートキー2804は、原稿画像の読み取り動作を開始する時などに用いる。スタートキー2803中央部には、緑と赤の2色LED2804があり、その色によってスタートキー2803が使える状態にあるかどうかを示す。ストップキー2805は、稼働中の動作を止める働きをする。IDキー2806は、使用者のユーザーIDを入力する時に用いる。リセットキー2807は、操作部からの設定を初期化する時に用いる。
【００４２】
図９は、本発明の実施形態に係わる画像形成装置における初期画面であり、各画像形成機能設定後に戻ってくる標準画面でもある。
【００４３】
3101は、コピー設定を行うための画面切り替えを行う。3102はスキャンした画像をファックスや電子メールで送信する設定を行うための画面切り替えを行う。3103は、外部メモリに予め格納されている画像の印字や送信を行なうための画面切り替えを行う。
【００４４】
3104は、3105のよって設定された画像読み込み時の設定を表示するためのウィンドウである。3105は、画像読み込み時の解像度、濃度などを設定する。3106は、タイマー送信時のタイマー設定、プリンタに印字する場合の設定などを行う。3107は、3108によって指定された送信宛先の表示を行う。3109は、3107に表示された１宛先の詳細な情報の表示を行う。3110は、3107に表示された１宛先の消去を行う。
【００４５】
図１０は、3105を押下したときに表示される本発明の実施形態に係わるポップアップウィンドウである。
【００４６】
3201は、読みとり原稿サイズをポップアップの中から選択入力し、設定された読みとりサイズは、3202に表示される。3203は、原稿の読み取りモードを選択するところであり、押下するとカラー/ブラック/自動(ACS)の３種類が選択できる。カラーモードに関しては、コピーでも同様に選択ができる。カウンタ2509の計測結果が所定値よりも小さければ白黒原稿、大きければカラー原稿と判断し、カラーの場合はカラー画像を、ブラックの場合には白黒画像を、ACSの場合にはカラー画像と原稿がカラーか白黒かを判別した結果を蓄積する。3204は、読みとりの解像度を指定するためポップアップからの選択入力になる。3205は、原稿の読み取り濃度を調整するためのスライダーであり、９段階の調整が行える。3206は、新聞のように下地がかぶった画像を読み込む場合に、濃度を自動的に決定するためにある。3206は、コピーでも同様の設定が可能である。
【００４７】
図１１にコピータブ3101を押下したときの本発明の実施形態に係わる画面を示す。
【００４８】
3301は、コピーできる状態が否かを示すところであり、同時に設定したコピー部数も表示される。3302は、3206と同等の機能であり、下地除去を自動的にするか否かを選択するためのボタンである。3303は、3205と同等の機能であり、9段階の濃度調整が可能なスライダである。3304は原稿のタイプを選択するところであり、文字・写真・地図、文字、印画紙写真、印刷写真が選択できる。3305は、応用モードボタンであり、縮小レイアウト（複数枚の原稿を1枚の用紙に縮小印字する機能）や、カラーバランス（CMYKの各色微調整）などが設定できる。3306は、各種フィニッシングにかかわる設定を行うボタンであり、シフトソート、ステープルソート、グループソートが設定できる。3307は、両面読み込み、および、両面印刷にかかわる設定を行うボタンである。
【００４９】
図１２に、メディアカードのタブ3103を押下したときの本発明の実施形態に係わる画面を示す。
【００５０】
3401は、外部メモリに論理的に区分された各フォルダを示し、フォルダ名を表示する。また、フォルダ横には、フォルダで使用しているファイルの全容量が表示されている。
【００５１】
図１３に3401を押下したときの本発明の実施形態に係わる画面を示す。
【００５２】
3501および3502は、フォルダに格納されている文書を示す。文書は複数のページで構成されている。3501は、予め格納されている文書や画像であり、そのアイコン、ファイル名、さらに、ファイル容量を表示している。アイコンを押下することで、そのファイルが選択されたことが反転表示によって示される。もう一度、アイコンを押下することで、選択が解除される。
【００５３】
3502は、フォルダ内のすべてのファイルを選択するためのボタンである。も一度。ボタンを押下することで、全てのファイルを選択解除にする。3503は、フォルダ内のファイルをプレビュー表示するためのボタンである。3504は、選択されたファイルを印刷するためのボタンである。3505は、選択されたファイルを送信するためのボタンである。3509は、選択された文書の詳細情報を表示するためのボタンである。ファイル名以外にも解像度、原稿サイズ、記録用紙のサイズ・種類、部数などの情報をみることができる。
【００５４】
図１４に、本発明の実施形態に係わるソフト構成図を示す。
【００５５】
4010は、表示操作部を制御するUI制御部、UI制御部からの指示を受け、コピー動作、送信動作、メディアカード画面からの送信やプリントを実行するコピーアプリケーション部4020、送信アプリケーション部4021、メモリアプリケーション部4022がある。
【００５６】
また、ネットワークアプリケーション4120からのPDLプリントデータを受けPDLプリントジョブを投入するPDLアプリケーション部4023がある。
【００５７】
4030は、機器制御部分の機器依存部分を吸収するための共通インタフェース部分、4040は共通インタフェースから受け取ったジョブ情報を整理し、下位層のドキュメント処理部に伝達するジョブマネージャである。
【００５８】
ドキュメント処理部は、ローカルコピーであれば、スキャンマネージャ4050とプリントマネージャ4090である。リモートコピーの送信ジョブ、あるいは、送信ジョブであれば、スキャンマネージャ4050とファイルストアマネージャ4100である。リモートコピーの受信ジョブであれば、ファイルリードマネージャ4060とプリントマネージャ4090である。LIPSなどのPDLプリントであれば、PDLマネージャ4070とプリントマネージャ4090である。
【００５９】
そして、各ドキュメントマネージャ間の同期とり、および各種画像処理を行うイメージマネージャ4110への画像処理の依頼はシンクマネージャ4080を介して行う。スキャン、プリント時の画像処理や画像ファイルの格納はイメージマネージャ4110が行う。
【００６０】
まず、ローカルコピーのソフト処理について説明する。
【００６１】
使用者の指示によりUI制御部4010からコピー指示とともにコピーの設定がコピーアプリケーション部4020に伝わる。コピーアプリケーション部4020は共通インタフェース4030を介して、機器制御を行うジョブマネージャ4040にUI制御部4010からの情報を伝える。ジョブマネージャ4040はスキャンマネージャ4050とプリントマネージャ4090にジョブの情報を伝達する。スキャンマネージャ4050は図示しないデバイスI/F（デバイスI/Fはコントローラ1001とスキャナ1003、および、コントローラ1001とプリンタ1004を結ぶシリアルI/F）を介してスキャナ1003にスキャン要求を行う。また、同時にシンクマネージャ4080を介してイメージマネージャ4110にスキャン用の画像処理要求を出す。イメージマネージャ4110はスキャンマネージャ4050の指示に従って、スキャナ画像処理部2014の設定を行う。設定が完了したら、シンクマネージャ4080を介してスキャン準備完了を伝える。その後スキャンマネージャ4050はスキャナ2070に対してスキャンを指示する。スキャン画像転送完了は図示しないハードウェアからの割り込み信号によってイメージマネージャ4110に伝わる。イメージマネージャ4110からのスキャン完了を受けてシンクマネージャ4080はスキャン完了をスキャンマネージャ4050、プリントマネージャ4090に伝える。同時にシンクマネージャ4080はRAM2003に蓄積された圧縮画像をファイル化するためイメージマネージャ4110に指示する。イメージマネージャ4110は指示に従ってメモリ上の画像（文字／写真判定信号を含めて）をRAM2003に格納する。画像の付随情報として図示しないＳＲＡＭにカラー判定/白黒判定結果、下地とばしを行うための下地とばしレベル、画像入力元としてスキャン画像、色空間RGBも格納しておく。また、RAM2003への格納が終了し、スキャナ1003からのスキャン完了を受けたら、シンクマネージャ4080を介してスキャンマネージャ4050にファイル化終了を通知する。スキャンマネージャ4050はジョブマネージャ4040に対して終了通知を返し、ジョブマネージャ4040は共通インタフェース4030を介してコピーアプリケーション部4020へ返す。プリントマネージャ4090はメモリに画像が入った時点でデバイスI/Fを介して、プリンタ1004に印刷要求をだす。同時にシンクマネージャ4080にプリント画像処理要求を行う。シンクマネージャ4080はプリントマネージャ4090から要求を受けたら画像処理設定をイメージマネージャ4110に依頼する。イメージマネージャ4110は前記の画像の付随情報に従ってプリンタ画像処理部2016の設定を行い、シンクマネージャ4080を介してプリントマネージャ4090にプリント準備完了を伝える。プリントマネージャ4090はプリンタに対して印刷指示を出す。プリント画像転送完了は図示しないハードウェアからの割り込み信号によってイメージマネージャ4110に伝わる。イメージマネージャ4110からのプリント完了を受けてシンクマネージャ4080はプリント完了をプリントマネージャ4090に伝える。プリントマネージャ4090はプリンタ部からの排紙完了を受け、ジョブマネージャ4040に対して終了通知を返し、ジョブマネージャ4040は共通インタフェース4030を介してコピーアプリケーション部4020へ返す。コピーアプリケーション部4020はスキャン、プリントが終了したらジョブ終了をUI制御部に通知する。
【００６２】
次に、リモートコピーのスキャンジョブ、送信ジョブの場合は、プリントマネージャ4090に代わってストアマネージャ4100がジョブマネージャ4040からの要求を受ける。スキャン画像をRAM2003に格納し終わった時点で、シンクマネージャ4080から格納完了通知を受け、それを共通インタフェース4030を介して、リモートコピーならば、コピーアプリケーション部4020に、送信ジョブなら送信アプリケーション部4021に通知する。コピーアプリケーション部4020、送信アプリケーション4021は、この通知の後、ネットワークアプリケーション4420に対して、RAM2003に格納されたファイルの送信を依頼する。依頼を受けたネットワークアプリケーション4420がファイルを送信する。ネットワークアプリケーション4420は、ジョブ開始時にコピーアプリケーション部4020からコピーに関する設定情報を受け、リモート側の機器に通知する。ネットワークアプリケーション4420は、リモートコピーの場合、機器固有の通信プロトコルを使用して送信を行う。また送信ジョブの場合は、FTP、SMBのような標準的なファイル転送プロトコルを使用する。
【００６３】
ファックス送信する場合は、ファイル格納後、送信アプリケーション4021から共通インタフェース4030、ジョブマネージャ4040を介してFAXマネージャ4041に送信が指示される。FAXマネージャ4041はModem2050を介して、相手機器とネゴシエーションし、必要な画像処理（カラー->白黒変換、多値2値変換、回転、変倍）をイメージマネージャ4110に依頼し、Modemを使って変換後の画像を送信する。また、送信先にプリンタがある場合、送信アプリケーションは共通インタフェース4000を介してプリントジョブとしてプリントの指示を行う。そのときの動作は以下で説明するリモートコピーのプリントジョブの場合と同様である。
【００６４】
FAX受信時は、FAXマネージャがModemを使って画像を受信し、画像ファイルとしてRAM2003に格納する。格納後にメモリアプリケーション4021に通知すると、メモリアプリケーション4021から受信プリントの指示が共通インタフェース4030を介して、ジョブマネージャ4040になされる。
【００６５】
リモートコピーのプリントジョブの場合は、送信側からの画像をネットワークアプリケーション4420がRAM2003に保存するとともにコピーアプリケーション部4020に対してジョブを発行する。コピーアプリケーション部4020は共通インタフェース4030を介してジョブマネージャ4040にプリントジョブを投入する。ローカルコピーとは異なり、スキャンマネージャ4050に代わってファイルリードマネージャ4060がジョブマネージャ4040からの要求を受ける。受信画像をRAM2003からメモリに展開するための要求をシンクマネージャ4080を介して、イメージマネージャ4110に行う。イメージマネージャ4110はメモリに画像を展開する。イメージマネージャ4110は展開が終了した時点で、シンクマネージャ4080を経由して展開終了をファイルリードマネージャ4060とプリントマネージャ4090に伝える。プリントマネージャ4090はメモリに画像が入った時点でデバイスI/Fを介して、プリンタ1004にジョブマネージャから指示された給紙段、もしくはその用紙サイズを有する段を選択し、印刷要求をだす。自動用紙の場合には、画像サイズから給紙段を決定し印刷要求をだす。同時にシンクマネージャ4080にプリント画像処理要求を行う。シンクマネージャ4080はプリントマネージャ4090から要求を受けたらプリント画像処理設定をイメージマネージャ4110に依頼する。（このときたとえば最適サイズ用紙がなくなり、回転が必要になれば別途回転指示も依頼する。回転指示があった場合にはイメージマネージャが画像回転2019を使って画像を回転する。）イメージマネージャ4110はプリンタ画像処理部2016の設定を行い、シンクマネージャ4080を介してプリントマネージャ4090にプリント準備完了を伝える。プリントマネージャ4090はプリンタに対して印刷指示を出す。プリント画像転送完了は図示しないハードウェアからの割り込み信号によってイメージマネージャ4110に伝わる。イメージマネージャ4110からのプリント完了を受けてシンクマネージャ4080はプリント完了をファイルリードマネージャ4060とプリントマネージャ4090に伝える。ファイルリードマネージャ4060は終了通知をジョブマネージャ4040に返す。プリントマネージャ4090はプリンタ部からの排紙完了を受け、ジョブマネージャ4040に対して終了通知を返す。ジョブマネージャ4040は共通インタフェース4030を介してコピーアプリケーション部4020へ終了通知を返す。コピーアプリケーション部4020はスキャン、プリントが終了したらジョブ終了をUI制御部に通知する。
【００６６】
PDLデータ展開格納ジョブの場合は、PDLプリントを投入したホストPCからの要求がネットワークアプリケーション4120を経由してPDLアプリケーション4023に伝達される。PDLアプリケーションは、共通インタフェース4030を介してPDLデータ展開格納ジョブをジョブマネージャ4040に指示する。このときPDLマネージャ4070とストアマネージャ4100がジョブマネージャ4040からの要求を受ける。画像のRIPが終了した後の画像入力する部分に関しては前述のスキャンジョブと同様である。メモリ上の画像（文字／写真判定信号を含めて）をRAM2003に格納する。画像の付随情報として図示しないＳＲＡＭにカラー/白黒情報、画像入力元としてPDL画像、色空間CMYKもしくはRGBも格納しておく。PDL画像をRAM2003に格納し終わった時点で、シンクマネージャ4080から格納完了通知を受け、共通インタフェース4030を介してPDLアプリケーション4023に通知する。ＰＤＬアプリケーション4023は、この通知の後、ネットワークアプリケーション4420にRAM2003格納完了を通知し、PDLプリントを投入したホストPCへこの情報が伝達される。また、PDLプリントジョブの場合には、PDLマネージャ4070とプリントマネージャによって、メモリ上に展開された画像を印字する。
【００６７】
PDL展開され格納された画像のプリントはUIで印刷指示された格納文書をメモリアプリケーションに対してプリントジョブとして発行する。メモリアプリケーション部4022は共通インタフェース4030を介してジョブマネージャ4040にプリントジョブを投入する。ローカルコピーとは異なり、スキャンマネージャ4050に代わってファイルリードマネージャ4060がジョブマネージャ4040からの要求を受ける。印刷指示された画像をシンクマネージャ4080を介して、イメージマネージャ4110にRAM2003からメモリに展開するための要求を行う。この後の動作は、リモートコピーのプリントジョブで説明した動作と同様のため、省略する。
【００６８】
メディアカード画面からの送信やプリントの場合は、まず、外部メモリI/F2004を介して、外部メモリ1005に格納されているファイル情報を取得する。次に、使用者は、予め指定されたファイルを選択し、その指示によりUI制御部4010から送信の場合は、送信アプリケーション部4021に、また、プリント指示の場合は、PDLアプリケーション部4020に伝わる。そして、メモリアプリケーション4021から共通インタフェース4030を介して、送信、及び、プリントの指示がジョブマネージャ4040になされる。この後の動作は、送信ジョブ、ファックス送信、PDLプリントで説明した動作と同様のため、省略する。
【００６９】
次に、本実施例の中心部となるメモリカードからの文章の印刷フロー、及び、送信フローについて、図１５を用いて説明する。
【００７０】
まず、図９に示すメディアカード3103のボタンが押下されると本処理が開始される。S4101では、外部メモリs1005が本装置に挿入され外部メモリI/F2004によってメモリカードが挿入されているか否かを判断する。メモリカードが挿入されていなければ、s4102に移行する。S4102では、メモリカードの挿入が無いことを使用者に報知し、本処理を終了する。そして、メモリカードが挿入されていれば、s4104に移行する。また、本処理は、メモリカードが挿入されると、s4103にて、既にメモリカードからのJOBが実行されているか否かを判断する。既にJOBが実行されていれば、後述のs4118、及び、s4137に移行する。JOBが実行されていなければ、s4104に移行する。
【００７１】
S4104では、外部メモリs1005に予め格納されているメモリカードのファイル情報を外部メモリI/F2004介して取得する。そして、s4105に移行する。S4105では、図１２に示すように予め作成されているフォルダ情報を表示する。そして、使用者によりフォルダが指定されると、s4106に移行する。S4106では、図１３に示すように使用者によって指定されたフォルダに予め格納されているファイル情報を表示する。そして、使用者によりファイル指定がなされる。このとき、詳細情報ボタンs3506が押下されると、ファイル形式や、作成者、原稿サイズなどのファイル情報を参照することが可能となっている。また、編集ボタン3507が押下されると、ファイル名や作成者を一時的に編集することが可能となる。ここで、編集された内容は、メモリカードに格納されているファイルに対して変更しても良いことは言うまでも無い。
【００７２】
そして、ファイルの指定がなされると、s4107に移行する。S4107では、プリントボタン3504が操作されたか否かを判断する。プリントボタン3504が押下されたときは、s4108に移行し、そうでなければ、s4120に移行し、送信ボタン3505が押下されたか否かを判断する。送信ボタン3505が押下されたならば、s4121に移行する。そうでなければ、s4107に戻り使用者によるプリント3504、及び、送信3505ボタンの押下がなされるまで待つ。
【００７３】
S4108では、プリント時の印刷指定を行なう。ここでは、使用者により、用紙のサイズや種類、印刷部数、そして、カラーモードか否かの指定がなされる。指定がなされると、s4109に移行し、スタートキーが押下されるのを待つ。スタートキーが押下されると、s4110に移行する。S4110では、メモリカードから指定されたファイルの原稿1ページを取得する。そして、s4111に移行する。s4111では、取得した原稿1ページの印刷を行う。そして、ｓ4112に移行する。s4112では、次のページがあるか否かを判断する。次のページがあれば、s4114に移行する。そうでなければ、s4113に移行する。S4113では、次のファイルがあるか否かを判断する。次のファイルがあれば、s4114に移行する。そうでなければ、印刷終了と判断し、本処理を終了する。
【００７４】
S4114では、印刷中にメモリカードが抜かれていない事を確認するためにメモリカードが有るか否かを判断する。メモリカードが有れば、s4110に戻り、印刷が終了するまで繰り返す。メモリーカード抜かれていた場合は、s4115に移行し、JOBの停止とメモリカードの再挿入を報知する。そして、s4116に移行する。S4116では、予め設定されているタイムアウト時間が経過したか否かを判断する。経過していれば、印刷を終了し、本処理を終了する。未経過のときは、s4117に移行し、メモリカードが再挿入されたか判断する。未挿入の場合は、s4116に戻り、挿入されまで待つ。メモリカードが挿入されるとs4118に移行する。S4118では、実行中のファイルがメモリカード内に有るか否かを検索する。一致するものがあれば、s4110に戻り、印刷が終了するまで繰り返す。一致するものが無ければ、ことなるメモリカードが挿入されたと判断し、印刷を終了し、本処理を終了する。
【００７５】
次に、s4120にて、送信ボタンが押下された場合の送信フローについて説明する。送信ボタンが押下されると、s4121に移行する。S4121では、送信先の宛先指定を行う。宛先の指定がなされると、s4122に移行する。S4122では、送信JOBに対するスタートキーが押下されたか否かを判断する。未押下の時は、スタートキーが押下されるまで待つ。押下されるとs4124に移行する。S4123では、s4110同様に、メモリカードから指定されたファイルの原稿1ページを取得する。取得が終了すると、s4124に移行する。S4124では、FAX送信か否かを判断する。FAX送信の時は、宛先のFAXに対する発呼を行う。そして、s4125に移行する。FAXではないときは、EメールやFTP送信等のネットワーク送信と判断し、s4126に移行し、ネットワークとの接続を行い、s4126に移行する。
【００７６】
S4126では、s4123で取得した指定されれたファイルの原稿1ページを宛先に送信し、s4127に移行する。S4127では、次のページがあるか否かを判断する。有れば、s4132に移行し、無ければ、s4128に移行する。S4128では、次のファイルが有るか否かを判断する。有れば、s4132に移行し、無ければ、送信終了と判断し、s4129に移行する。S4129では、FAX送信か否かを判断する。FAX送信のときは、s4130に移行し、回線を開放して本処理を終了する。FAX送信でなければ、s4131に移行し、ネットワークの開放を行い、本処理を終了する。
【００７７】
S4132では、メモリカードの有無を判断する。メモリカードがあれば、s4123に戻り、送信終了まで繰り返す。メモリカードが無い場合は、送信中にメモリカードが抜かれたと判断し、s4133に移行する。s4133では、FAX送信か否かを判断する。FAX送信の場合、回線を捕捉したままであると、通信費がかかるため、s4130に移行し、回線を開放する。そして、送信を終了させ本処理を終了する。
【００７８】
FAX送信でなければ、s4134に移行する。S4134では、s4115同様にJOBの停止とメモリカードの再挿入を使用者に報知する。そして、s4135に移行する。S4135では、予め設定されたタイムアウト時間が経過したか否かを判断する。経過していれば、s4131に移行し、ネットワークの開放を行い、送信を終了し、本処理を終了する。タイムアウト時間が経過していなければ、s4136に移行し、メモリカードの再挿入がなされたか否かを判断する。未挿入の場合は、s4135に戻り、再挿入されるまで待つ。再挿入がなされた場合は、s4137に移行する。S4137では、送信実行中のファイルをメモリカードから検索する。そして、s4138に移行し、送信実行中のファイルと一致するものがあるか否かを判断する、一致するものがあれば、s4123に戻り、送信するファイルが無くなるまで繰り返す。一致するものが無ければ、異なるメモリカードが再挿入されたもの判断し、s4139に移行し、ネットワークの開放を行い送信を終了し、本処理を終了する。
【００７９】
なお、上記実施例を、複数の機器（たとえば、ホストコンピュータ、インタフェース機器、リーダ、プリンタ等）によって構成されているシステムに適用してもよく、また、１つの機器によって構成されている装置（たとえば、複写機、ファクシミリ装置等）に適用するようにしてもよい。
【００８０】
また、上記実施例を実現するソフトウエアのプログラムコードを記憶した記憶媒体を、システムまたは装置に供給し、そのシステムまたは装置のコンピュータ（ＣＰＵまたはＭＰＵ）が、上記記憶媒体に格納されているプログラムコードを読み出すことによって、上記実施例が達成される。
【００８１】
この場合、記憶媒体から読出されたプログラムコード自体が、上記実施例の機能を実施し、そのプログラムコードを記憶した記憶媒体は、上記実施例の例である。
【００８２】
プログラムコードを供給するための記憶媒体としては、たとえば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等が考えられる。
【００８３】
また、コンピュータが読出したプログラムコードを実行することによって、上記実施例の機能が実現されるだけでなく、そのプログラムコードの指示に基づいて、コンピュータ上で稼動しているＯＳ（オペレーティングシステム）等が実際の処理の一部または全部を行い、この処理によって、上記実施例の機能が実現される場合も含まれる。
【００８４】
さらに、記憶媒体から読出されたプログラムコードが、コンピュータに挿入された機能拡張ボードやコンピュータに接続されている機能拡張ユニットに備わっているメモリに書き込まれた後に、そのプログラムコードの指示に基づいて、その機能拡張ボードや機能拡張ユニットに備わっているＣＰＵ等が、実際の一部または全部を行い、その処理によって、上記実施例の機能が実現される場合も含まれる。
【図面の簡単な説明】
【００８５】
【図１】本発明の実施形態に係わる画像形成システムの全体構成を示す図
【図２】本発明の実施形態に係わる画像形成装置の全体構成を示す図
【図３】本発明の実施形態に係わる画像形式を示す図
【図４】本発明の実施形態に係わるパケットデータの形式を示す図
【図５】本発明の実施形態に係わるスキャナ画像処理のブロック図
【図６】本発明の実施形態に係わるプリンタ画像処理のブロック図
【図７】本発明の実施形態に係わる画像形成装置の入出力デバイス外観図
【図８】本発明の実施形態に係わる画像形成装置の操作部外観図
【図９】本発明の実施形態に係わる操作部の初期画面
【図１０】本発明の実施形態に係わる操作部の読取ボタン押下時ポップアップウィンドウ
【図１１】本発明の実施形態に係わる操作部のコピー画面
【図１２】本発明の実施形態に係わる操作部のメディアカード画面
【図１３】本発明の実施形態に係わる操作部のメディアカード指定画面
【図１４】本発明の実施形態に係わるソフト構成を示すソフト構成図
【図１５】本発明の実施形態に係わるメモリカードからのプリント・送信のフロー図
【符号の説明】
【００８６】
1000  画像形成装置
1001  Controller Unit
1002  操作部
1003  スキャナ
1004  プリンタ
1005  外部メモリ
【図１】
2008307705.tif 000003
【図２】
2008307705.tif 000004
【図３】
2008307705.tif 000005
【図４】
2008307705.tif 000006
【図５】
2008307705.tif 000007
【図６】
2008307705.tif 000008
【図７】
2008307705.tif 000009
【図８】
2008307705.tif 000010
【図９】
2008307705.tif 000011
【図１０】
2008307705.tif 000012
【図１１】
2008307705.tif 000013
【図１２】
2008307705.tif 000014
【図１３】
2008307705.tif 000015
【図１４】
2008307705.tif 000016
【図１５】
2008307705.tif 000017